(57)【要約】【課題】薄型の電子装置の筐体側面に設けた凹凸により、電子装置を強固に連結又は分離することが可能な筐体の連結機構を提供することを目的とする。【解決手段】第１と第２の電子装置１，２の筐体側面１０Ｒ、２０Ｌの下半分の部分を長手方向に３つ以上の領域に分け、第１の電子装置１の各領域には、側面１０Ｒから窪む凹部１１と側面１０Ｒから突出する凸部１２を交互に設け、第２の電子装置２の各領域には、対向する第１の電子装置１の領域に設けられた凹部１１と凸部１２と同形状の凸部２２と凹部２１を設け、対向する第１と第２の電子装置１，２に設けられた凹部１１，２１と凸部１２，２２との隣接面１４，２４には円弧状の溝１３及び突条２３の何れか一方を設け、円弧状の突条２３を円弧状の溝１３に挿入しながら第１と第２の電子装置１，２の筐体側面１０Ｌ，１０Ｒを強固に連結することを特徴とする筐体の連結機構である。【選択図】図５
2014022964.tif 000002
【特許請求の範囲】
【請求項１】
第１と第２の電子装置の筐体側面に設けられた筐体の連結機構であって、
前記第１と第２の電子装置の連結側の筐体側面の上部側に設けられ、同じ幅で長手方向に延伸された平坦面と、
前記第１と第２の電子装置の連結側の前記筐体側面の下部側に前記平坦面に隣接してそれぞれ対応して設けられ、長手方向に区分された３つ以上の領域と、
前記第１の電子装置の前記領域に交互に設けられ、前記連結側の筐体側面の反対側の筐体側面方向に向かって前記平坦面に対して垂直方向に切り欠かれた凹部、及び前記連結側の筐体側面から前記平坦面に対して垂直方向に突出する凸部と、
前記第２の電子装置の前記領域に交互に設けられ、前記凹部に嵌合する凸部と前記凸部に嵌合する凹部とを備えており、
前記平坦面を対向させた状態で、対応する前記凹部に前記凸部を嵌合させて、前記第１と第２の電子装置の筐体側面を連結することを特徴とする筐体の連結機構。
【請求項２】
前記凹部の対向する側面には、前記凹部内に突出する突出部が設けられており、前記凸部の側面には前記突起に対応する窪みが設けられていることを特徴とする請求項１に記載の筐体の連結機構。
【請求項３】
第１と第２の電子装置の筐体側面に設けられた筐体の連結機構であって、
前記第１と第２の電子装置の連結側の筐体側面の上部側に設けられ、同じ幅で長手方向に延伸された平坦面と、
前記第１と第２の電子装置の連結側の前記筐体側面の下部側に前記平坦面に隣接してそれぞれ対応して設けられ、長手方向に区分された３つ以上の領域と、
前記第１の電子装置の前記領域に交互に設けられ、前記連結側の筐体側面の反対側の筐体側面方向に向かって前記平坦面に対して垂直方向に切り欠かれた凹部、及び前記連結側の筐体側面から前記平坦面に対して垂直方向に突出する凸部と、
前記第２の電子装置の前記領域に交互に設けられ、前記凹部に嵌合する凸部と前記凸部に嵌合する凹部とを備えており、
前記第１の筐体の前記凸部と凹部との隣接面に、円弧状の溝及び突条の何れか一方が設けられており、
前記隣接面に対応する前記第２の筐体の隣接面には、前記円弧状の溝又は突条の形状に対応する円弧状の突条又は溝が設けられており、
前記円弧状の突条を前記円弧状の溝に挿入しながら前記第１と第２の電子装置の筐体側面を連結することを特徴とする筐体の連結機構。
【請求項４】
前記円弧状の溝と前記円弧状の突条の円弧の中心が、前記第１と第２の電子装置の筐体の表面の上に位置することを特徴とする請求項３に記載の筐体の連結機構。
【請求項５】
請求項１から４の何れか１項に記載の筐体の連結機構を備えた電子装置。
【発明の詳細な説明】
【技術分野】
【０００１】
本出願は、電子装置の筐体を横方向に連結する、筐体の連結機構及び該連結機構を備えた電子装置に関する。
【背景技術】
【０００２】
従来、携帯電話機等の情報端末（電子装置）は、その情報端末に単独に備えられた機能のみを使用することに留まらず、機能の異なる他の情報端末を接続することにより、個々の情報端末には無い様々な機能を実現することが考えられている。例えば、特許文献１には、携帯型オーディオプレーヤと携帯電話機とを接続して、携帯電話機を介してオーディオプレーヤに音楽ファイルをダウンロードすることが開示されている。また、特許文献２には、複数の携帯情報端末に連結可能となる連結構造を持たせ、複数の携帯情報端末を連結することにより、データ交換や機能の共有を図るものが開示されている。
【０００３】
一方、近年、携帯電話機は多機能電話機（スマートフォン）へと進化し、筐体の表面に大きなタッチパネルを備えた表示画面が設けられ、筐体同士をスライドさせたり回転させたりする機構が無くなって筐体が箱型になってきている。そして、次世代スマートフォンの形態として、筐体が更に小型化され、カード状の薄いもの（厚さ３〜４ｍｍ程度）が考えられている。
【０００４】
次世代スマートフォンにおいても、その利用形態として、複数の本体（例えば２個）をその側面で連結することにより、大きな画面として使用する形態や、それぞれの本体に備えられた機能を合わせてより高度な機能を実現する用途が考えられている。
【先行技術文献】
【特許文献】
【０００５】
【特許文献１】特開２００２−３１４６４７号公報
【０００６】
【特許文献２】特開２００６−１８３６５号公報
【発明の概要】
【発明が解決しようとする課題】
【０００７】
しかしながら、次世代スマートフォンのような薄型でカード状の筐体を備える情報端末は、筐体が薄いために側面で強固に連結することは困難であった。また、筐体の側面で強固に連結するために、重ね部を設けて連結する方法も考えられているが、これでは重ね部によって画面の一部が使用できなくなり、大きな画面にできなくなる課題があった。
【０００８】
１つの側面では、本出願は、薄型の筐体を有する情報端末等の電子装置において、２つの電子装置を筐体側面で連結する場合に、連結する側面の上側は平坦面を維持し、下側には対向位置に設けた凹部及び凸部により、筐体を簡単に連結又は分離することができ、連結状態では隣接する筐体の上面側の連結部を直線にできる筐体の連結機構を提供することを目的とする。また、他の側面では、凹部と凸部が隣接する隣接面に設けた円弧状の溝と突条により、連結状態の筐体に外力が印加されても連結状態を強固に保持できる筐体の連結機構を提供することを目的とする。更に他の側面では、上記連結機構を備えた電子装置を提供することも目的とする。
【課題を解決するための手段】
【０００９】
１つの態様によれば、本出願では、第１と第２の電子装置の筐体側面に設けられた筐体の連結機構であって、第１と第２の電子装置の連結側の筐体側面の上部側に設けられ、同じ幅で長手方向に延伸された平坦面と、第１と第２の電子装置の連結側の筐体側面の下部側に平坦面に隣接してそれぞれ対応して設けられ、長手方向に区分された３つ以上の領域と、第１の電子装置の領域に交互に設けられ、連結側の筐体側面の反対側の筐体側面方向に向かって平坦面に対して垂直方向に切り欠かれた凹部、及び連結側の筐体側面から平坦面に対して垂直方向に突出する凸部と、第２の電子装置の領域に交互に設けられ、凹部に嵌合する凸部と凸部に嵌合する凹部とを備えており、平坦面を対向させた状態で、対応する凹部に凸部を嵌合させて、第１と第２の電子装置の筐体側面を連結することを特徴とする筐体の連結機構が提供される。
【００１０】
他の態様によれば、本出願は、第１と第２の電子装置の筐体側面に設けられた筐体の連結機構であって、第１と第２の電子装置の連結側の筐体側面の上部側に設けられ、同じ幅で長手方向に延伸された平坦面と、第１と第２の電子装置の連結側の筐体側面の下部側に平坦面に隣接してそれぞれ対応して設けられ、長手方向に区分された３つ以上の領域と、第１の電子装置の領域に交互に設けられ、連結側の筐体側面の反対側の筐体側面方向に向かって平坦面に対して垂直方向に切り欠かれた凹部、及び連結側の筐体側面から平坦面に対して垂直方向に突出する凸部と、第２の電子装置の領域に交互に設けられ、凹部に嵌合する凸部と凸部に嵌合する凹部とを備えており、第１の筐体の凸部と凹部との隣接面に、円弧状の溝及び突条の何れか一方が設けられており、隣接面に対応する第２の筐体の隣接面には、円弧状の溝又は突条の形状に対応する円弧状の突条又は溝が設けられており、第１と第２の電子装置の筐体側面を連結する際は、円弧状の突条を円弧状の溝に挿入しながら行うことを特徴とする筐体の連結機構が提供される。
【００１１】
また、電子装置の形態として、上述した筐体の連結機構を備えた第１と第２の電子装置が提供される。
【図面の簡単な説明】
【００１２】
【図１】（ａ）は本出願の筐体の連結機構を備えた第１と第２の電子装置を並べて示す斜視図、（ｂ）は（ａ）に示した第１と第２の電子装置を本出願の筐体の連結機構を用いて連結した状態を示す斜視図である。
【図２】本出願の第１の実施例の筐体の連結機構を備えた第１と第２の電子装置を示す斜視図である。
【図３】（ａ）は図２（ｂ）に示した第１と第２の電子装置の平面図、（ｂ）は（ａ）に示した第１と第２の電子装置を連結した状態を示す平面図、（ｃ）は（ｂ）に示した連結状態の第１と第２の電子装置のＡ−Ａ線における断面図、（ｄ）は（ｂ）に示した連結状態の第１と第２の電子装置のＢ−Ｂ線における断面図である。
【図４】（ａ）から（ｃ）は本出願の第１の実施例の筐体の連結機構における凹部と凸部の組の数の例を示すものであり、（ａ）は凹部と凸部の組の数が３組である第１と第２の電子装置の平面図、（ｂ）は凹部と凸部の組の数が５組である第１と第２の電子装置の平面図、（ｃ）は凹部と凸部の組の数が６組である第１と第２の電子装置の平面図、（ｄ）は（ｃ）同様に凹部と凸部の組の数が６組であるが、凹部と凸部の形状が波型である場合の第１と第２の電子装置の平面図である。
【図５】本出願の第２の実施例の筐体の連結機構を備えた第１と第２の電子装置を示す斜視図である。
【図６】本出願の第２の実施例の筐体の連結機構の連結動作を説明するものであり、（ａ）は第１の電子装置の連結部分を示す部分拡大側面図、（ｂ）は第２の電子装置の連結部分を示す部分拡大側面図、（ｃ）は第１と第２の電子装置の連結部分の係合直前の状態を示す部分拡大側面図、（ｄ）は第１と第２の電子装置の連結部分の係合途中の状態を示す部分拡大側面図、（ｅ）は第１と第２の電子装置の連結部分の係合が終了した状態を示す部分拡大である。
【図７】本出願の第２の実施例の筐体の連結機構を備えた第１と第２の電子装置の結合を示すものであり、（ａ）は結合前の状態、（ｂ）は結合中の状態、（ｃ）は結合後の状態を示す側面図である。
【図８】（ａ）は図５に示した第１と第２の電子装置を結合する側面を対向させて並べた状態を示す平面図、（ｂ）は（ａ）に示した第１と第２の電子装置を連結した状態を示す平面図、（ｃ）は（ｂ）に示した連結状態の第１と第２の電子装置のＣ−Ｃ線における断面図、（ｄ）は（ｂ）に示した連結状態の第１と第２の電子装置のＤ−Ｄ線における断面図である。
【図９】（ａ）は本出願の第２の実施例の筐体の連結機構の凹部と凸部に設ける円弧状突起と円弧状溝の別の例を示す第１と第２の電子装置の斜視図、（ｂ）は（ａ）に示した第１と第２の電子装置を連結した状態を示す斜視図である。
【図１０】（ａ）は本出願の第２の実施例の筐体の連結機構の変形例の構成を示す第１と第２の電子装置の連結部分を示す部分拡大側面図、（ｂ）は（ａ）の円弧状の溝の内部に突出させる係止突起の取り付け部を矢印Ｅ方向から見た部分拡大図である。
【図１１】本出願の第３の実施例の筐体の連結機構を備えた第１と第２の電子装置の平面図及び側面図である。
【図１２】（ａ）は図１１に示した第１と第２の電子装置の連結状態を示す平面図、（ｂ）は（ａ）に示した連結機構の要部拡大図である。
【発明を実施するための形態】
【００１３】
以下、添付図面を用いて本出願の実施の形態を、具体的な実施例に基づいて詳細に説明する。
【００１４】
図１（ａ）は、本出願の筐体の連結機構を備えた第１の電子装置１と第２の電子装置２を並べて示す斜視図である。第１の電子装置１の筐体１０には背面１０Ｂ、表面１０Ｔ、左右の側面１０Ｌ、１０Ｒがあり、後述する連結機構は筐体１０の右側の側面１０Ｒに設けられている。第２の電子装置２の筐体２０にも背面２０Ｂ、表面２０Ｔ、左右の側面２０Ｌ、２０Ｒがあり、後述する連結機構は筐体２０の右側の側面２０Ｒに設けられている。図１（ｂ）は、図１（ａ）に示した第１と第２の電子装置１，２の側面１０Ｒ，２０Ｌを連結機構を用いて連結した状態を示す斜視図である。
【００１５】
なお、以後に説明する筐体の連結機構は、第１の電子装置１と第２の電子装置２を機械的に連結するものであり、連結機構自体には電気的な接続機構は設けられていない。連結された第１の電子装置１と第２の電子装置２は、内蔵された近距離無線装置等により通信を行うことにより、機能を拡張することができるものとする。また、以後に説明する本出願の筐体の連結機構を用いて第１の電子装置１と第２の電子装置２を連結すると、第１と第２の電子装置１，２の表面１０Ｔと２０Ｔは同一面になる。従って、表面１０Ｔと２０Ｔに表示器（ディスプレイ）を設ければ、２倍の画面で表示可能となる。
【００１６】
図２は、第１の実施例の筐体の連結機構３１を備えた第１と第２の電子装置１，２を示す斜視図である。第１の電子装置１の筐体１０の連結側の側面１０Ｒは、筐体１０の板厚Ｈの上半分の部分１０ＲＵが平坦面に形成され、板厚Ｈの下半分の部分１０ＲＬは長手方向に４つの領域Ｒ１〜Ｒ４に分けられている。この実施例では４つの領域Ｒ１〜Ｒ４の長手方向の長さは同じであるとする。なお、平坦面の幅は、この実施例では板厚Ｈの半分程度としているが、平坦面の幅はこれよりも薄くても厚くても良い。
【００１７】
そして、第１の電子装置１の領域Ｒ１〜Ｒ４には、連結側の側面１０Ｒの反対側の側面１０Ｌの方向に向かって切り欠かれた凹部１１と、連結側の側面１０Ｒから突出する凸部１２が交互に形成されている。この実施例では、領域Ｒ１とＲ３に凹部１１が形成されており、領域Ｒ２とＲ４に凸部１２が形成されている。この実施例では凹部１１は平面視矩形状の切欠であり、凸部１２も平面視矩形状の突起である。領域Ｒ１から領域Ｒ４の長手方向の長さが同じ場合は、凹部１１の内則寸法と凸部１２の外形寸法は同じである。
【００１８】
また、第１の電子装置１に連結する第２の電子装置２の連結側の側面２０Ｌには、第１の電子装置１の平坦面１０ＲＵに対応する平坦面２０ＬＵと、領域Ｒ１〜Ｒ４にそれぞれ対応する領域Ｒ５〜Ｒ８が設けられている。そして、領域Ｒ５〜Ｒ８には、領域Ｒ１〜Ｒ４に形成された凹部１１又は凸部１２に対応する凸部２２又は凹部２１が設けられている。即ち、凹部１１が形成された第１の電子装置１の領域Ｒ１，Ｒ３に対応する第２の電子装置２の領域Ｒ５，Ｒ７には、凹部１１の内則と同形状の外形を備えた凸部２２が設けられている。また、凸部１２が形成された第１の電子装置１の領域Ｒ２，Ｒ４に対応する第２の電子装置２の領域Ｒ６、Ｒ８には、凸部１２の外形と同形状の内則を備える凹部２１が設けられている。
【００１９】
第１の実施例の筐体の連結機構３１を備えた第１の電子装置１と第２の電子装置２を平面視すると、図３（ａ）に示すようになる。従って、以上のように構成された第１の実施例の筐体の連結機構３１を備えた第１と第２の電子装置１，２は、図３（ａ）に示すように、同じ水平位置で対向する凹部１１に凸部２２を挿入し、対向する凹部２１に凸部１２を挿入することによって連結できる。図３（ｂ）は図３（ａ）に示した第１と第２の電子装置１，２を連結した状態を示す平面図である。また、図３（ｃ）は図３（ｂ）に示した連結状態の第１と第２の電子装置１，２のＡ−Ａ線における断面図であり、図３（ｄ）は図３（ｂ）に示した連結状態の第１と第２の電子装置１，２のＢ−Ｂ線における断面図である。
【００２０】
第１の実施例の筐体の連結機構３１を備えた第１の電子装置１と第２の電子装置２の側面１０Ｒ，２０Ｌを、平坦面１０ＲＵと平坦面２０ＬＵが上側になるようにして連結すると、側面１０Ｒ，２０Ｌの隣接部が直線状になる。従って、平坦面１０ＲＵと平坦面２０ＬＵに隣接する第１の電子装置１と第２の電子装置２の表面に表示器（ディスプレイ）を設ければ、画像を２倍の画面で表示可能となる。
【００２１】
図４（ａ）から図４（ｃ）は、第１の実施例の筐体の連結機構３１における凹部１１と凸部２２、或いは凹部２１と凸部１２の組の数（以後凹凸の組の数と言う）の例を示すものである。図２、図３で説明した第１の電子装置１と第２の電子装置２に設けられた筐体の連結機構３１における凹凸の組の数は４組であった。一方、図４（ａ）に示す筐体の連結機構３１では、凹凸の組の数が３組であり、図４（ｂ）に示す筐体の連結機構３１では、は凹凸の組の数が５組である。
【００２２】
更に、図４（ｃ）と図４（ｄ）に示す筐体の連結機構３１では、凹凸の組の数が６組である。そして、図４（ｃ）に示す例では、凹部１１と凸部２２、或いは凹部２１と凸部１２を平面視すると矩形状であるのに対して、図４（ｄ）に示す例では、凹部１１と凸部２２、或いは凹部２１と凸部１２を平面視すると波形状となっている。このように、筐体の連結機構３１における凹部１１，２１及び凸部１２、２２を平面視した時の形状は、矩形に限定されない。
【００２３】
図５は、本出願の第２の実施例の筐体の連結機構３２を備えた第１と第２の電子装置１，２を示す斜視図である。第１の電子装置１の筐体１０の連結側の側面１０Ｒは、筐体１０の板厚Ｈの上半分の部分１０ＲＵが平坦面に形成され、板厚Ｈの下半分の部分１０ＲＬは長手方向に４つの領域Ｒ１〜Ｒ４に分けられている。この実施例では４つの領域Ｒ１〜Ｒ４の長手方向の長さは同じであるとする。そして、第１の電子装置１の領域Ｒ１〜Ｒ４には、連結側の側面１０Ｒの反対側の側面１０Ｌの方向に向かって切り欠かれた凹部１１と、連結側の側面１０Ｒから突出する凸部１２が交互に形成されている。この実施例では、領域Ｒ１とＲ３に凹部１１が形成されており、領域Ｒ２とＲ４に凸部１２が形成されている。この実施例では凹部１１は平面視矩形状の切欠であり、凸部１２も平面視矩形状の突起である。領域Ｒ１から領域Ｒ４の長手方向の長さが同じ場合は、凹部１１の内則寸法と凸部１２の外形寸法は同じである。
【００２４】
一方、第１の電子装置１に連結する第２の電子装置２の連結側の側面２０Ｌには、第１の電子装置１の平坦面１０ＲＵに対応する平坦面２０ＬＵと、領域Ｒ１〜Ｒ４に対応する領域Ｒ５〜Ｒ８が設けられている。そして、領域Ｒ５〜Ｒ８には、領域Ｒ１〜Ｒ４に形成された凹部１１又は凸部１２に対応する凸部２２又は凹部２１が設けられている。この実施例では、凹部１１が形成された第１の電子装置１の領域Ｒ１，Ｒ３に対応する第２の電子装置２の領域Ｒ５，Ｒ７には、凹部１１の内則と同形状の外形を備えた凸部２２が設けられている。また、凸部１２が形成された第１の電子装置１の領域Ｒ２，Ｒ４に対応する第２の電子装置２の領域Ｒ６、Ｒ８には、凸部１２の外形と同形状の内則を備える凹部２１が設けられている。
【００２５】
更に、第２の実施例では、凹部１１と凸部１２の隣接面１４及び凹部２１と凸部２２の隣接面２４に円弧状の溝及び円弧状の突条の何れか一方が設けられている。即ち、隣接面１４に円弧状の溝が設けられている場合には、隣接面２４に円弧状の突条が設けられており、隣接面１４に円弧状の突条が設けられている場合には、隣接面２４に円弧状の溝が設けられている。この実施例では、隣接面１４に円弧状の溝１３が設けられており、隣接面２４に円弧状の突条２３が設けられている。溝１３と突条２３の円弧の中心は、第１と第２の電子装置１，２の筐体１０，２０の表面１０Ｔ，２０Ｔの上にそれぞれ位置する。
【００２６】
ここで、隣接面１４に形成された円弧状の溝１３と、隣接面２４に形成された円弧状の突条２３の更に詳しい形状と、円弧状の溝１３に円弧状の突条２３を挿入しながら第１と第２の電子装置１，２を連結する動作を、図６（ａ）〜（ｅ）を用いて説明する。
【００２７】
図６（ａ）は、第１の電子装置１の連結部分を示す部分拡大側面図である。前述のように、凹部１１の内則寸法と凸部１２の外形寸法は同じであるので、凹部１１内に位置する隣接面１４と凸部１２の側面に位置する隣接面１４の面積は同じである。そして、円弧状の溝１３は、隣接面１４の凹部１１内に位置する部分と凸部１２の側面に位置する部分に左右対称に設けられている。従って、隣接面１４に設けられた円弧状の溝１３の円弧の中心Ｐ１は、この実施例では筐体１０の側面１０Ｒと表面１０Ｔが交差する部分にある。なお、円弧の中心Ｐ１は側面１０Ｒの延長線上であれば、表面１０Ｔよりも上側にあっても良い。
【００２８】
図６（ｂ）は、第２の電子装置２の連結部分を示す部分拡大側面図である。前述のように、凹部２１の内則寸法と凸部２２の外形寸法は同じであるので、凹部２１内に位置する隣接面２４と凸部２２の側面に位置する隣接面２４の面積は同じである。そして、円弧状の突条２３は、隣接面２４の凹部２１内に位置する部分と凸部２２の側面に位置する部分に左右対称に設けられている。従って、隣接面２４に設けられた円弧状の突条２３の円弧の中心Ｐ２は、この実施例では筐体２０の側面２０Ｌと表面２０Ｔが交差する部分にある。なお、円弧の中心Ｐ２は側面２０Ｌの延長線上であれば、表面２０Ｔよりも上側にあっても良い。
【００２９】
図６（ｃ）は、第１と第２の電子装置１，２の連結部分の係合直前の状態を示すものである。第１と第２の電子装置１，２を連結する場合は、隣接面１４と隣接面２４の位置を合わせ、円弧状の溝１３と円弧状の突条２３の円弧の中心Ｐ１，Ｐ２を近接させ、円弧状の溝１３の先端部に円弧状の突条２３の先端部を対向させる。そして、円弧状の溝１３と円弧状の突条２３の円弧の中心Ｐ１，Ｐ２を近接させたままで、第２の電子装置２を第１の電子装置１側に回転させると、図６（ｄ）に示すように、円弧状の溝１３の中に円弧状の突条２３が挿入され、溝１３内を突条２３が移動する。第２の電子装置２の第１の電子装置１側への回転を継続すると、図６（ｅ）に示すように、円弧状の溝１３の中に円弧状の突条２３が完全に挿入され、第２の電子装置２が第１の電子装置１に連結される。
【００３０】
図７は、図６（ａ）から（ｅ）で説明した動作により第１と第２の電子装置１，２が連結される過程を示すものであり、図７（ａ）が連結前の状態、図７（ｂ）が連結中の状態を示し、図７（ｃ）が連結後の状態を示している。但し、図７（ａ）〜（ｃ）に示す実施例では、隣接面１４に円弧状の突条１５が設けられており、隣接面２４に円弧状の溝２５が設けられている点が図５、６に示した実施例と異なる。このように、円弧状の溝と突条は、隣接面１４，２４のどちらに設けられても良いものである。
【００３１】
図７（ａ）に示した連結前の第１と第２の電子装置１，２を平面視すると図８（ａ）に示すようになる。また、図７（ｃ）に示した連結後の電子装置１、２を平面視すると図８（ｂ）に示すようになる。また、図８（ｃ）は図８（ｂ）に示した連結状態の第１と第２の電子装置１、２のＣ−Ｃ線における断面を示しており、図８（ｄ）は図８（ｂ）に示した連結状態の第１と第２の電子装置のＤ−Ｄ線における断面を示している。
【００３２】
第２の実施例の連結機構３２を備えた第１と第２の電子装置１、２の側面を結合した場合は、図８（ｃ）、（ｄ）に示すように、第１と第２の電子装置１，２の表面１０Ｔ、２０Ｔが同一平面上に位置する。また、第１と第２の電子装置１、２の連結側の側面１０Ｒ、２０Ｌの上側の部分には、平坦面１０ＲＵ、平坦面２０ＬＵがあるので、第１と第２の電子装置１、２が連結されると表面１０Ｔ，２０Ｔの連結部は直線になる。よって、第１と第２の電子装置１、２の表面１０Ｔ、２０Ｔに画像を表示する表示器の画面が形成されていれば、第１と第２の電子装置１、２を連結することにより、画面の大きさが２倍になる。
【００３３】
また、第２の実施例の連結機構３２は、第１と第２の電子装置１、２を連結した状態で、第１と第２の電子装置１、２を水平にしたとき下方向に強い保持力を持つ。そして、第１と第２の電子装置１，、は、円弧状の溝と突条によって係合しているので、水平方向に抜け難い。
【００３４】
図９（ａ）は、本出願の第２の実施例の筐体１０、２０に設けられた連結機構３２の隣接面１４、２４に設けられた円弧状の溝と突条の別の例を示す斜視図であり、図９（ｂ）は図９（ａ）に示した第１と第２の電子装置１、２を連結した状態を示す斜視図である。図５から図８で説明した実施例では、隣接面１４、２４に設けられた円弧状の溝１３、２５と突条１５、２３は断面が半円であった。
【００３５】
一方、図９（ａ）に示した実施例では、隣接面１４、２４に設けられた円弧状の溝１６と円弧状の突条２６の断面が矩形である点が異なる。このように隣接面１４、２４に設けられた円弧状の溝１６と円弧状の突条２６の断面が矩形であっても、第１と第２の電子装置１、２はスムーズに連結することができる。よって、第２の実施例の筐体１０、２０に設ける連結機構３２の隣接面１４、２４に形成する溝と突条の断面形状は特に限定されるものではない。
【００３６】
図１０（ａ）は、本出願の第２の実施例の筐体の連結機構３２の変形例の構成を示すものであり、第１と第２の電子装置１，２の連結部分を示す部分拡大側面図である。この変形例では、隣接面１４に円弧状の溝１３が設けられており、隣接面２４に円弧状の突条２３が設けられている。そして、溝１３の奥側の隣接面１４に係止突起１７が設けられており、突条２３の先端側にはこの係止突起１７に係合する切欠２７が設けられている。また、溝１３の先端部側（開口部側）は、突条２３が挿入し易いようにその幅が広げられて拡幅部１３Ｗが設けられている。この変形例では、溝１３に突条２３が完全に挿入された状態では、係止突起１７に切欠２７が係合しているので、溝１３から突条２３が抜け難い。
【００３７】
図１０（ｂ）は図１０（ａ）で説明した円弧状の溝１３の内部に突出させる係止突起１７の取り付け方法を説明する説明図であり、図１０（ａ）に示した筐体１０の背面１０Ｂを矢印Ｅ方向（下方向）から見た部分拡大図である。係止突起１７は柔軟な材料で形成された円柱状の突起であり、第１の電子装置１の背面１０Ｂに形成された収容溝４の中に挿入され、ねじ３で押さえ付けられている。この変形例の構成により、溝１３に突条２３が挿入し易くなり、溝１３に挿入された突条２３が、衝撃や振動があっても溝１３から不用意に抜けないようにすることができる。また、円柱状突起１７はＰＯＭ等の柔らかい樹脂やゴム等の弾性体で形成することができる。
【００３８】
図１１は、本出願の第３の実施例の筐体の連結機構３３を備えた第１と第２の電子装置１，２を下側から見た平面図及び側面図を示している。ここでは、第３の実施例の筐体の連結機構３３の構成が分かり易いように、筐体を下側から見た図を用いている。この実施例では、第１の電子装置１の連結側の側面１０Ｒに２つの凹部１１と１つの凸部１２が設けられており、第２の電子装置２の連結側の側面２０Ｌに１つの凹部２１と２つの凸部２２が設けられている。また、第３の実施例では凹部２１と凸部１２の長さが、凹部１１と凸部２２の長さの２倍程度ある。第３の実施例の筐体の連結機構３３は、第１の実施例の連結機構３１の凹部２１と凸部１２の長さを長くすると共に、凹部２１の隣接面２４に、凹部２１内に突出する係止突起１８をねじ３によって取り付けたものである。対応する凸部１２の隣接面１４には係止突起１８の凹部２１内への突出部分に対応する窪み１９が設けられている。
【００３９】
図１２（ａ）は図１１に示した第１と第２の電子装置１，２の連結状態を示す平面図であり、図１２（ｂ）は図１２（ａ）に示したＦ部の部分拡大図である。係止突起１８は柔軟な材料で形成された円柱状の突起であり、第２の電子装置２の表面１０Ｔに形成された収容溝５の中に挿入され、ねじ３で押さえ付けられている。第３の実施例の構成により、凹部２１に挿入された凸部１２が抜け難くなる。なお、図中に示した数字は一例であり、単位はｍｍである。第３の実施例では、凹部２１に挿入された凸部１２が、衝撃や振動があっても不用意に外れないようにすることができる。
【００４０】
なお、以上のように本出願の連結機構によって結合された第１と第２の電子装置１，２は、Bluetooth（登録商標）等の短距離無線通信より筐体同士が相互に通信ができる。
【００４１】
以上、本出願を特にその好ましい実施の形態を参照して詳細に説明した。本出願の容易な理解のために、本出願の具体的な形態を以下に付記する。
【００４２】
（付記１）  第１と第２の電子装置の筐体側面に設けられた筐体の連結機構であって、
前記第１と第２の電子装置の連結側の筐体側面の上部側に設けられ、同じ幅で長手方向に延伸された平坦面と、
前記第１と第２の電子装置の連結側の前記筐体側面の下部側に前記平坦面に隣接してそれぞれ対応して設けられ、長手方向に区分された３つ以上の領域と、
前記第１の電子装置の前記領域に交互に設けられ、前記連結側の筐体側面の反対側の筐体側面方向に向かって前記平坦面に対して垂直方向に切り欠かれた凹部、及び前記連結側の筐体側面から前記平坦面に対して垂直方向に突出する凸部と、
前記第２の電子装置の前記領域に交互に設けられ、前記凹部に嵌合する凸部と前記凸部に嵌合する凹部とを備えており、
前記平坦面を対向させた状態で、対応する前記凹部に前記凸部を嵌合させて、前記第１と第２の電子装置の筐体側面を連結することを特徴とする筐体の連結機構。
（付記２）  前記凹部及び凸部を平面視した形状が矩形であることを特徴とする付記１に記載の筐体の連結機構。
（付記３）  前記凹部の対向する側面には、前記凹部内に突出する係止突起が設けられており、前記凸部の側面には前記係止突起に対応する窪みが設けられていることを特徴とする付記２に記載の筐体の連結機構。
（付記４）  前記突出部が柔軟な材料で形成されていることを特徴とする付記３に記載の筐体の連結機構。
（付記５）  第１と第２の電子装置の筐体側面に設けられた筐体の連結機構であって、
前記第１と第２の電子装置の連結側の筐体側面の上部側に設けられ、同じ幅で長手方向に延伸された平坦面と、
前記第１と第２の電子装置の連結側の前記筐体側面の下部側に前記平坦面に隣接してそれぞれ対応して設けられ、長手方向に区分された３つ以上の領域と、
前記第１の電子装置の前記領域に交互に設けられ、前記連結側の筐体側面の反対側の筐体側面方向に向かって前記平坦面に対して垂直方向に切り欠かれた凹部、及び前記連結側の筐体側面から前記平坦面に対して垂直方向に突出する凸部と、
前記第２の電子装置の前記領域に交互に設けられ、前記凹部に嵌合する凸部と前記凸部に嵌合する凹部とを備えており、
前記第１の筐体の前記凸部と凹部との隣接面に、円弧状の溝及び突条の何れか一方が設けられており、
前記隣接面に対応する前記第２の筐体の隣接面には、前記円弧状の溝又は突条の形状に対応する円弧状の突条又は溝が設けられており、
前記円弧状の突条を前記円弧状の溝に挿入しながら前記第１と第２の電子装置の筐体側面を連結することを特徴とする筐体の連結機構。
【００４３】
（付記６）  前記円弧状の溝と前記円弧状の突条の円弧の中心が、前記第１と第２の電子装置の筐体の表面の上に位置することを特徴とする付記５に記載の筐体の連結機構。
（付記７）  前記凹部内の前記隣接面に、前記円弧状の溝の内部に僅かに突出する係止突起が設けられており、
前記円弧状の突条には、前記突条を前記溝に挿入した時に前記係止突起に重なる位置に、前記係止突起を受け入れる切欠が設けられていることを特徴とする付記４又は５に記載の筐体の連結機構。
（付記８）  前記係止突起が柔軟な材料で形成された円柱状の突起であることを特徴とする付記７に記載の筐体の連結機構。
（付記９）  前記溝の先端部には、前記突条の先端部を挿入し易くするための拡幅部が設けられていることを特徴とする付記５から８の何れかに記載の筐体の連結機構。
（付記１０）  前記平坦面の幅が、前記筐体の板厚の半分であることを特徴とする付記１から９の何れかに記載の筐体の連結機構。
【００４４】
（付記１１）  前記平坦面の幅が、前記筐体の板厚の半分より小さいことを特徴とする付記１から９の何れかに記載の筐体の連結機構。
（付記１２）  前記平坦面の幅が、前記筐体の板厚の半分より大きいことを特徴とする付記１から９の何れかに記載の筐体の連結機構。
（付記１３）  付記１から１２の何れかに記載の筐体の連結機構を備えた電子装置。
（付記１４）  前記電子機器が第１と第２の電子装置を備えており、前記第１と第２の電子装置が前記連結機構によって連結された時に、前記平坦面によって隣接状態となる前記第１と第２の電子装置の面に表示器が設けられていることを特徴とする付記１３に記載の電子装置。
【符号の説明】
【００４５】
１    第１の電子装置
２    第２の電子装置
１０、２０    筐体
１１，２１    凹部
１２，２２    凸部
１３、１６、２５    円弧状の溝
１４，２４    隣接面
１５，２３、２６    円弧状の突起
１７、１８    係止突起
１９    窪み
【図１】
2014022964.tif 000003
【図２】
2014022964.tif 000004
【図３】
2014022964.tif 000005
【図４】
2014022964.tif 000006
【図５】
2014022964.tif 000007
【図６】
2014022964.tif 000008
【図７】
2014022964.tif 000009
【図８】
2014022964.tif 000010
【図９】
2014022964.tif 000011
【図１０】
2014022964.tif 000012
【図１１】
2014022964.tif 000013
【図１２】
2014022964.tif 000014